(57)【特許請求の範囲】
【請求項１】
ベース（４）と、このベース（４）に配設された少なくとも３つの開閉スイッチ（６）と、これらの開閉スイッチ（６）を選択的に開閉する操作ノブ（５）と、前記ベース（４）に着脱可能に取付けられ前記操作ノブ（５）を傾動自在に保持する押えばね（１０）と、前記操作ノブ（５）の傾動方向を前記各開閉スイッチ（６）が配設されている方向に規制する傾動方向規制機構（６０）とを備え、
前記ベース（４）は、截頭多角錐形のベース本体（４Ａ）と、このベース本体（４Ａ）の前面中央より後方に向かって一体に突設された筒体（４Ｂ）とからなり、前記ベース本体（４Ａ）には前記各開閉スイッチ（６）が取付けられる複数個のスイッチ取付面（２８）が同一仮想円上に位置するようにその周方向に略等間隔おいて形成され、前記筒部（４Ｂ）の前端面には受部（５８）が形成され、
前記操作ノブ（５）は、少なくとも前記ベース（４）の筒体（４Ｂ）内に傾動可能に挿入された傾動軸（５２）と、この傾動軸（５２）の外周に複数本のリブ（５５）を介して連結された円筒体（５３）を有する傾動体（８）を含み、前記傾動軸（５２）の前端面には半球状の突部からなる押えばね側傾動支持部（５６Ａ）が設けられ、前記リブ（５５）には前記押えばね側傾動支持部（５６Ａ）と曲率中心が一致し前記ベース（４）の受部（５８）によって傾動自在に支持されるベース側傾動支持部（５６Ｂ）が設けられ、前記円筒体（５３）の内側には前記各開閉スイッチ（６）に対応する複数個のスイッチ押圧部（６５）が設けられ、
前記押えばね（１０）は、前記操作ノブ（５）の前記押えばね側傾動支持部（５６Ａ）が摺動自在に嵌合する半球状の凹部（８２）を有する押え部（８０）と、この押え部（８０）の外周に周方向に略等間隔おいて延設され前記ベース（４）に係合する弾性変形自在な複数の係合片（８４）とで構成され、
前記開閉スイッチ（６）は、固定接点（４６）と、可動接点（４９）と、この可動接点（４９）が取付けられ前記操作ノブ（５）のスイッチ押圧部（６５）によって押圧されると弾性変形する弾性部材（４８）とを有し、
前記弾性部材（４８）は、通常前記押えばね（１０）とともに前記操作ノブ（５）を中立位置に保持しており、前記操作ノブ（５）の操作時に前記スイッチ押圧部（６５）によって一定量圧縮変形されることにより、その弾撥力で前記操作ノブ（５）の前記押えばね側傾動支持部（５６Ａ）を前記押えばね（１０）の凹部（８２）に圧接するとともに、前記押えばね（１０）の係合片（８４）を前記ベース（４）に圧接し、
前記傾動方向規制機構（６０）は、前記筒体（４Ｂ）の内面に放射状に形成された互いに連通する複数の案内溝からなる傾動方向規制部（４２）と、前記傾動軸（５２）の後端に突設され前記傾動方向規制部（４２）に係入されるガイドピン（５７）とで構成され、
前記ベース（４）の各開閉スイッチ（６）が取付けられる前記スイッチ取付面（２８）を前記操作ノブ（５）の当該取付面に対応するスイッチ押圧部（６５）のストローク方向と略直交する斜面に形成することにより、前記弾性部材（４８）のストローク方向を対応するスイッチ押圧部（６５）のストローク方向と略一致させたことを特徴とする多方向スイッチ。
【発明の詳細な説明】
【０００１】
【発明の属する技術分野】
本発明は、自動車のエアコンディショナ等の制御用スイッチとして用いて好適な多方向スイッチに関し、特に３個以上の開閉スイッチを選択的にかつ確実に動作させることができる多方向スイッチに関する。
【０００２】
【従来の技術】
自動車のエアコンディショナ、ドアミラー等を操作するために用いられるスイッチとしては、従来から種々提案されており、例えば、特開平５−３４７１１６号公報、特開平６−３３３４６５号公報、特開平１０−３０２５７７号公報に記載されたスイッチが知られている。
【０００３】
前記特開平５−３４７１１６号公報に記載されたスイッチは、２方向スイッチを構成するもので、摺動体の下部に碗状部を設け、この碗状部の内部中央に凹部からなる節度山部を設け、スイッチが配設されるベースまたはケースに設けた節度部材を前記節度山部に弾接することにより、前記碗状部の表面側を前記ケースに設けた開口部に揺動自在に圧接して構成したものである。このようなスイッチによれば、碗状部の中心（支点）と摺動体の上部に設けた操作ボタン（力点）との間に作用点となる節度部材が位置している、言い換えれば支点から作用点までの距離と支点から力点までの距離が重複していることから、スイッチ全体を小型化することができる。
【０００４】
前記特開平６−３３３４６５号公報に記載されたシーソースイッチは、シーソーノブの揺動中心軸を中心とする仮想円上にシーソーノブのスイッチ押圧部の先端を位置させるともに、前記仮想円の接線上に開閉スイッチを位置させてその接点部を前記接線に対して略垂直な面に形成し、スイッチ押圧部の作動方向を開閉スイッチの接点押圧体の作動方向と略一致させるように構成したものである。このようなシーソースイッチによれば、開閉スイッチの接点押圧体をスイッチ押圧部によって正しく反転させることができるため、明確な操作感を得ることができる。
【０００５】
前記特開平１０−３０２５７７号公報に記載されたスイッチは、車両用のミラーコントロールスイッチに関するものである。このスイッチは、１つのノブの回転操作によってコントロールすべきミラーを選択し、傾動操作することによりその選択されたミラーの傾きをコントロールするもので、スイッチハウジングの内部空所内に配設した可動盤に、前記スイッチハウジングの操作面に設けた孔から前記内部空所に挿入されるノブの操作軸を係合させている。このノブの回転操作によって可動盤を回転させると、可動盤に設けた可動接点とスイッチハウジング側に設けた電極パターンの接触領域のいずれかと電気的に接触し、対応したスイッチ作動を行わせることができる。また、前記内部空所に節度板を配設し、前記スイッチハウジングと節度板に設けた突起と節度谷との係合によってノブの回転操作時に節度感を付与するようにしている。さらに、規制体を前記可動盤と節度板との間に配設し、この規制体の内周に複数のコーナーを有する規制孔を設け、この規制孔に前記ノブの操作軸を挿入することにより、ノブを中立位置からいずれかの方向に傾動操作した際に操作軸が前記規制孔のコーナーに引っ掛かって操作軸が他の傾動操作位置に直接移動しないように規制している。このようなスイッチによれば、ノブをいずれかの方向に傾動操作した際に操作軸が他の傾動操作位置に誤って移動することがなく、ミラーの誤動作を防止することができる。
【０００６】
【発明が解決しようとする課題】
しかしながら、上記した従来のスイッチは、いずれも以下に述べるような問題があった。すなわち、特開平５−３４７１１６号公報に記載されたスイッチは、摺動体の押圧部を通常スイッチから離間させているので、摺動体の碗状部をケースの開口に押し付けるばねの力が弱いと振動等によって摺動体が動き易く、ばね力を大きくすると操作ボタンを操作するときに大きな操作力を必要とするため操作性が低下するという問題がある。
【０００７】
特開平６−３３３４６５号公報に記載されたシーソースイッチは、傾動軸によってシーソーノブを傾動自在に軸支しているので、傾動軸と直交する２方向にしか傾動させることができず、構造的に３方向以上の多方向スイッチとすることができないという問題がある。また、スイッチの接点を電極シートに形成しているので、電極シートの設置状態が悪かったり、使用している間にスイッチ取付面から浮き上がったりすると、接点不良を起こすという問題もあった。
【０００８】
特開平１０−３０２５７７号公報に記載された車両用ミラーコントロールスイッチは、スイッチハウジングに設けた孔の開口縁全周によってノブの裏面を支持しているので、中立位置では安定に支持することができる反面、傾動操作したときには浮き上がって裏面の一部のみが開口縁に片当たりするため、傾動方向に移動し易く、安定な操作が得られないという問題がある。
【０００９】
本発明は上記した従来の問題を解決するためになされたもので、その目的とするところは、振動等によってがたついたり、操作時にスイッチが誤動作したりすることがなく、安定したスイッチ動作を得ることができるようにした多方向スイッチを提供することにある。
【００１０】
【課題を解決するための手段】
上記目的を達成するために本発明は、ベースと、このベースに配設された少なくとも３つの開閉スイッチと、これらの開閉スイッチを選択的に開閉する操作ノブと、前記ベースに着脱可能に取付けられ前記操作ノブを傾動自在に保持する押えばねと、前記操作ノブの傾動方向を前記各開閉スイッチが配設されている方向に規制する傾動方向規制機構とを備え、前記ベースは、截頭多角錐形のベース本体と、このベース本体の前面中央より後方に向かって一体に突設された筒体とからなり、前記ベース本体には前記各開閉スイッチが取付けられる複数個のスイッチ取付面が同一仮想円上に位置するようにその周方向に略等間隔おいて形成され、前記筒部の前端面には受部が形成され、前記操作ノブは、少なくとも前記ベースの筒体内に傾動可能に挿入された傾動軸と、この傾動軸の外周に複数本のリブを介して連結された円筒体を有する傾動体を含み、前記傾動軸の前端面には半球状の突部からなる押えばね側傾動支持部が設けられ、前記リブには前記押えばね側傾動支持部と曲率中心が一致し前記ベースの受部によって傾動自在に支持されるベース側傾動支持部が設けられ、前記円筒体の内側には前記各開閉スイッチに対応する複数個のスイッチ押圧部が設けられ、前記押えばねは、前記操作ノブの前記押えばね側傾動支持部が摺動自在に嵌合する半球状の凹部を有する押え部と、この押え部の外周に周方向に略等間隔おいて延設され前記ベースに係合する弾性変形自在な複数の係合片とで構成され、前記開閉スイッチは、固定接点と、可動接点と、この可動接点が取付けられ前記操作ノブのスイッチ押圧部によって押圧されると弾性変形する弾性部材とを有し、前記弾性部材は、通常前記押えばねとともに前記操作ノブを中立位置に保持しており、前記操作ノブの操作時に前記スイッチ押圧部によって一定量圧縮変形されることにより、その弾撥力で前記操作ノブの前記押えばね側傾動支持部を前記押えばねの凹部に圧接するとともに、前記押えばねの係合片を前記ベースに圧接し、前記傾動方向規制機構は、前記筒体の内面に放射状に形成された互いに連通する複数の案内溝からなる傾動方向規制部と、前記傾動軸の後端に突設され前記傾動方向規制部に係入されるガイドピン７とで構成され、前記ベースの各開閉スイッチが取付けられる前記スイッチ取付面を前記操作ノブの当該取付面に対応するスイッチ押圧部のストローク方向と略直交する斜面に形成することにより、前記弾性部材のストローク方向を対応するスイッチ押圧部のストローク方向と略一致させたものである。
【００１２】
本発明において、ベースのスイッチ取付面を操作ノブのスイッチ押圧部のストローク方向と略直交する斜面に形成し、この斜面に開閉スイッチを配設し、操作ノブのスイッチ押圧部と開閉スイッチの弾性部材のストローク方向を略一致させているので、操作ノブの操作時に弾性部材全体を均等に弾性変形させることができ、安定したスイッチ動作が得られる。
操作ノブは押えばねによってベースに組み付けられた状態において、スイッチ押圧部が開閉スイッチの弾性部材を押圧して弾性変形させる。弾性部材はスイッチ押圧部によって押圧され弾性変形すると、その弾撥力で操作ノブを押圧し、前記押えばねとで操作ノブを弾持する。したがって、操作ノブの軸線方向の移動が防止される。
【００１３】
また、本発明においては、押えばねの押え部が半球状の凹部によって操作ノブの押えばね側傾動支持部を傾動自在に保持しているので、操作ノブを安定した状態で傾動させることができる。また、押えばねは、係合片が弾性部材の弾撥力によってベースに押し付けられることで動きが規制され、弾性部材とともに操作部材を安定に弾持する。
【００１４】
【発明の実施の形態】
以下、本発明を図面に示す実施の形態に基づいて詳細に説明する。
図１は本発明に係る多方向スイッチの一実施の形態を示す正面図、図２は同スイッチの右側面図、図３は図１のIII −III 線断面図、図４は操作ノブを操作して開閉スイッチを動作させたときの状態を示す断面図である。
【００１５】
これらの図において、本実施の形態は自動車に装着されるエアコンディショナのコントロールスイッチに適用した例を示す。このコントロールスイッチ１は、制御回路基板２に複数個の止めねじ３によって固定されたベース４と、操作ノブ５と、この操作ノブ５によって開閉される開閉スイッチ６と、操作ノブ５の所定箇所を照明する照明装置７等で構成され、特に前記操作ノブ５を５方向（図１のＡ1 〜Ａ5 方向）にのみ傾動自在とすることにより５つのモードの切替、すなわちファンの「ＯＦＦ」モードと、ファンの送風モードを「微弱（ＬＯ）」、「弱」、「標準」、「強（ＨＩ）」の４段階に切り替えるようにしているため、以下の説明ではこのようなスイッチを５方向スイッチと呼ぶ。
【００１６】
前記操作ノブ５は、傾動体８、オーナメント（意匠板）９、押えばね１０、オーナメントカバー１１等の複数個の部材によって構成されている。また、前記照明装置７は、オーナメント用光源１２、プリズム１３、インジケータ用光源１４、インジケータレンズ１５によって構成されている。以下、これら構成部材の構造等を詳述する。
【００１７】
先ず、前記ベース４を図３、図５〜図７に基づいて説明する。
図５はベースの正面図、図６は同ベースの背面図、図７は図５のVII −VII 線断面図である。前記ベース４は、ジュラコン等の合成樹脂からなる成形品で、截頭五角錐のベース本体４Ａと、このベース本体４Ａの前面中央より後方に向かって一体に延設された筒体４Ｂとで構成されている。ベース本体４Ａは、周方向に等間隔おいて配列された同一傾斜角度からなる５つの斜板２１と、これらの斜板２１の後端に一体に設けられた円筒体２２とで構成されている。各斜板２１は、ベース４の軸線２３に対して所定角度、例えば６０°程度傾斜しており、表裏面に貫通する係合孔２４と、２つのリード線用穴２５およびプリズム用穴２６が形成されるとともに、スイッチ取付用凹部２７が形成されている。
【００１８】
前記係合孔２４は、前記押えばね１０を係止するためのもので、前記斜板２１の前端縁（ベース本体４Ａの中心側端縁）寄りに形成されている。また、係合孔２４は矩形の孔からなり、ベース本体４Ａの周方向と直交する両側縁２４ａが前記押えばね１０の後述する係合片８４の挿入を容易にするためにテーパ面に形成されている。前記プリズム用穴２６は扇形の孔からなり、斜板２１の後端縁（ベース本体４Ａの外周側端縁）寄りで、かつ一側縁に沿って形成されている。前記２つのリード線用穴２５は、斜板２１の前記開閉スイッチ６が取付けられる面、すなわちスイッチ取付面２８（図７、図８）に形成されており、その前端側開口部が開閉スイッチ６のリード線２９の挿入を容易にするためにテーパ孔を形成している。前記スイッチ取付用凹部２７は、斜板２１の幅方向中央で後端縁に沿って形成された矩形の凹部からなり、この凹部２７の底面が前記スイッチ取付面２８を形成している。各斜板２１のスイッチ取付面２８は、ベース４の中心線２３を中心とする仮想円上に周方向に等間隔離間して位置している。
【００１９】
前記円筒体２２の外周には、それぞれ５つからなるねじ取付部３１と、インジケータ用光源収納部３２が周方向に所定の間隔をおいて交互に突設されている。前記ねじ取付部３１は、隣り合う２つの斜板２１の境部に位置するように設けられ、前記止めねじ３が後方から前記制御回路基板２を通してねじ込まれ、これによって前記ベース４が制御回路基板２の前面に固定される。また、各ねじ取付部３１の前面には、前記傾動体８の回転を防止する回転防止部３３が一体に突設されている。この回転防止部３３は、ベース４の前方に向かって延設された板状体からなり、先端面には凹部３４と、この凹部３４を挟んでベース本体４Ａの周方向に対向する２つの回転防止壁３５が設けられている。
【００２０】
前記インジケータ用光源収納部３２は、前記インジケータ用光源１４を収納し保護するとともに、光源１４から出る光のうち側方（ベース４の径方向）に向かう光を遮光するもので、前後に開放する角筒状に形成され、各斜板２１の幅方向中央に位置するように設けられている。
【００２１】
前記筒体４Ｂは、前端が開放し後端が閉塞した筒体からなり、前記ベース本体４Ａの前面中央に連結されている。また、この筒体４Ｂの後端部は、前記制御回路基板２に設けた挿通孔３８（図３）を貫通して制御回路基板２の後方に延在している。筒体４Ｂの背面板３９は周壁４１より厚肉に形成され、その内面側に前記操作ノブ５の傾動方向（Ａ1 〜Ａ5 方向）を規制する傾動方向規制部４２（図５）が形成されている。この傾動方向規制部４２は、背面板３９、言い換えればベース４の中心より周方向に略等間隔おいて放射状に形成された互いに連通する５つの案内溝４２ａ〜４２ｅによって構成されている。また、これらの案内溝４２ａ〜４２ｅは、隣り合う２つの斜板２１の接合線４３と同一方向となるように、かつ前記操作ノブ５の傾動方向Ａ1 〜Ａ5 と反対方向に延在するようにそれぞれ形成されている。すなわち、案内溝４２ａは傾動方向Ａ1 に、案内溝４２ｂは傾動方向Ａ2 に、案内溝４２ｃは傾動方向Ａ3 に、案内溝４２ｄは傾動方向Ａ4 に、案内溝４２ｅは傾動方向Ａ5 にそれぞれ対応するものであるが、その方向は反対方向とされる。筒体４Ｂの開口端面は、前記操作ノブ５を受け止め傾動自在に支持する受部５８を形成している。
【００２２】
次に、前記開閉スイッチ６を図３および図８に基づいて説明する。
図８は開閉スイッチの拡大断面図である。前記ベース４の各スイッチ取付面２８に取付けられる前記開閉スイッチ６としては、市販のタクトスイッチが用いられる。この開閉スイッチ６は、表面に２つの固定接点４６が適宜間隔おいて形成された基板４７と、この基板４７上に配設されたゴム等からなる截頭円錐筒状の弾性部材４８と、この弾性部材４８の内側に設けられた可動接点４９と、前記各固定接点４６に一端が接続され、他端側が基板４７の下方に突出する前記一対のリード線２９とで構成されている。前記基板４７は、前記ベース本体４Ａの前記スイッチ取付用凹部２７に嵌合することにより固定され、前記弾性部材４８が前記斜板２１の表面より前方に突出している。弾性部材４８は自然状態において可動接点４９を固定接点４６から離間させており、前面が前記傾動体８の後述するスイッチ押圧部６５によって押圧される被押圧面５０を形成している。また、この被押圧面５０は、当該開閉スイッチ６が取付けられる斜板２１の表面と略平行で、弾性部材４８のストローク（変位）方向（矢印Ｂ方向）と垂直な面を形成している。前記可動接点４９は、前記一対の固定接点４６に対応するように弾性部材４８の内面中央に設けられている。前記一対のリード線２９は、前記リード線用穴２５に前方から挿通されてベース本体４Ａの後方に導かれ、その先端部が前記制御回路基板２に設けた小孔を貫通して同回路基板の電気回路に接続されている。
【００２３】
次に、前記傾動体８を図３および図９〜図１２に基づいて説明する。
図９は傾動体の正面図、図１０は同傾動体の背面図、図１１は図９のＣ矢視図、図１２は図９のＸＩＩ−ＸＩＩ線断面図である。前記傾動体８は、ジュラコン等によって形成された合成樹脂製の成形品からなり、前記ベース４の筒体４Ｂ内に遊嵌状態で挿入される傾動軸５２と、この傾動軸５２の前端側外周に５本のリブ５５を介して連結された円筒体５３とで構成されている。傾動軸５２の前端は、前記板ばね１０によって摺動自在に支持されることにより押えばね側傾動支持部５６Ａを形成している。また、前記各リブ５５の基部背面側には前記ベース４の受部５８によって摺動自在に支持されるベース側傾動支持部５６Ｂがそれぞれ設けられている。前記押えばね側傾動支持部５６Ａは、操作ノブ５の傾動中心Ｃを中心とする半球状の突部からなり、前記ベース側傾動支持部５６Ｂは前記傾動中心Ｃを中心とする円弧状の膨出部とされる。傾動中心Ｃは、ベース４の中心線２３上に位置している。
【００２４】
前記傾動軸５２の後端面中央には、前記ベース４の傾動方向規制部４２に係入される金属製のガイドピン５７（図３、図４）がインサート成形または圧入によって突設されており、このガイドピン５７と前記傾動方向規制部４２とで操作ノブ５の傾動方向を図１に示すＡ1 〜Ａ5 の５方向に規制する傾動方向規制機構６０を構成している。
【００２５】
前記円筒体５３は、前面側開口部の内周面に一体に設けられたリング状の受部６１を有し、この受部６１の前面によって前記プリズム１３の裏面外周縁部を支持している。受部６１は、円筒体５３の前面よりも若干後方で、かつ前記リブ５５の前面よりも前方に位置するように形成されている。このため、リブ５５と受部６１および受部６１と円筒体５３との間には、段差がそれぞれ設けられている。また、円筒体５３の外周面には、前記オーナメントカバー１１を位置決め固定する５つのレンズ固定用溝６２が周方向に略等間隔おいて、かつ円筒体５３の軸線方向全長にわたって形成されている。レンズ固定用溝６２の開口部は、前記オーナメントカバー１１の後述する突状体１０８の挿入を容易にするためにテーパ状に拡幅している。円筒体５３の外周面には、さらに前記オーナメントカバー１１を係止する３個の係止用突起６３が周方向に略等間隔おいて一体に突設されている。
【００２６】
前記円筒体５３の内周面で前記レンズ固定用溝６２に対応する箇所には、操作ノブ５の操作時に前記５つの開閉スイッチ６を選択的に操作する５つのスイッチ押圧部６５が一体に突設されている。スイッチ押圧部６５は、円筒体５３の軸線方向に長い棒状体に形成され、後端面が前記開閉スイッチ６の弾性部材４８の前面５０（図８）を押圧する押圧面６６ａを形成している。この押圧面６６ａは、弾性部材４８のストローク方向（図８の矢印Ｂ方向）とスイッチ押圧部６５のストローク方向（図８の矢印Ｄ方向）が略一致するように、前記弾性部材４８の前面５０と平行な面に形成されている。このため、押圧面６６ａは、スイッチ押圧部６５の長手方向と交差する斜面に形成されている。
【００２７】
前記リブ５５は、前記ベース４の回転防止部３３に設けた凹部３４（図７）に前方から係入されている。この凹部３４の幅を狭くし、回転防止壁３５とリブ５５との隙間を小さくすると、傾動体８の回転が防止される。また、リブ５５と凹部３４との間には、操作ノブ５の非操作時において、図３に示すように適宜な間隙Ｇが設定されており、この間隙Ｇによって操作ノブ５の傾動を可能にしている。また、この凹部３４の深さは、操作ノブ５の最大傾動角度を規制し、スイッチ押圧部６５による弾性部材４８の押圧力が最適押圧力となるようにしている。
【００２８】
この場合、前記スイッチ押圧部６５の押圧面６６ａが前記開閉スイッチ６の弾性部材４８を過剰に加圧しないようにするために、操作ノブ５の最大傾動角度を前記凹部３４の深さによって規制しているが、これに限らず前記ベース４の傾動方向規制部４２の各案内溝４２ａ〜４２ｅの長さによって規制してもよい。ただし、案内溝４２ａ〜４２ｅの長さによって規制すると、ガイドピン５７が溝終端に当接したとき、傾動軸５２のガイドピン５７が取付けられている後端部に大きな曲げモーメントが作用し、傾動軸５２が破損するおそれがあるため、傾動軸５２の後端部に図１２に二点鎖線で示すように金属製のキャップ、リング等からなる補強部材７０を嵌着して補強することが好ましい。
【００２９】
さらに、５本のリブ５５のうち下方に位置する１本のリブ５５の前面には、前記プリズム１３を位置決めする位置決めピン７１が一体に突設されている。
【００３０】
次に、前記オーナメント９を図１、図３および図１３に基づいて説明する。
図１３はオーナメントの正面図である。前記オーナメント９は前記傾動体８の前面に前記プリズム１３を介して配設されるもので、前面が球面状で裏面が平坦面からなる平凸レンズ状に形成され、外周にはフランジ７２が一体に設けられている。また、このオーナメント９は、アクリル樹脂等で形成した透明素材の裏面に黒色（意匠部抜き）印刷を施し、次いで白色印刷を行うことにより、透光性の意匠部（表示部）７４（７４ａ〜７４ｅ），７６と照明部７５を形成している。
【００３１】
前記意匠部７４は、エアコンディショナの切替モードを表示するもので、オーナメント９の外周寄りでオーナメント９の中心を中心とする同一円周上に周方向に略等間隔おいて、かつ前記操作ノブ５の傾動方向Ａ1 〜Ａ5 と略一致するように形成されている。傾動方向Ａ1 の意匠部７４ａは記号「ＯＦＦ」からなり、エアコンディショナの電源が切れていることを示す。傾動方向Ａ2 の意匠部７４ｂは、記号「ＬＯ」からなり、ファンによる送風が「微弱」であることを示す。意匠部７４ｃは１つの小さな矩形のマークからなり、送風が「弱」であることを示す。意匠部７４ｄは２つの小さな矩形のマークからなり、送風が「標準」であることを示す。前記意匠部７４ｅは記号「ＨＩ」からなり、送風が「強」であることを示す。
【００３２】
前記照明部７５は、意匠部７４ａ〜７４ｅ間（但し、意匠部７４ａと７４ｅ間を除く）に同一の曲率半径で円弧状の帯に形成されている。
【００３３】
前記意匠部７６は、エアコンディショナのファンを表示する透光性の絵柄からなり、オーナメント９の表面中央に形成されている。
【００３４】
前記フランジ７２の最下端位置には、オーナメント９をオーナメントカバー１１に対して位置決めする位置決め用凹部７７が形成されている。
【００３５】
次に、前記押えばね１０を図３および図１４に基づいて説明する。
図１４（ａ）、（ｂ）、（ｃ）は押えばねの正面図、Ｄ矢視図、ＸＩＶ−ＸＩＶ線断面図である。前記押えばね１０は、合成樹脂からなる成形品で、円板状の押え部８０と、押え部８０の外周に周方向に略等間隔おいて後方に延設された弾性を有する５本の脚８１とで構成されている。押え部８０は、裏面中央に前記傾動体８の押えばね側傾動支持部５６Ａが摺動自在に嵌合する凹部８２を有している。この凹部８２は、押えばね側傾動支持部５６Ａと略等しい半径の半球状凹部からなり、球面状摺動面を形成している。
【００３６】
前記脚８１は、基部８３と、一対の係合片８４とで構成されている。前記基部８３は、押え部８０の径方向外方に向かって逆「く」の字状に屈曲した屈曲片で構成されることにより、押えばね１０の軸線に対して所要角度傾斜し板厚方向に弾性変形可能な斜板部８３ａと、この斜板部８３ａの後端に前方側に折り曲げ形成された略垂直な板部８３ｂとで構成されている。
【００３７】
前記一対の係合片８４は、前記板部８３ｂの両側縁に互いに対向するように対設され、互いに接近離間する方向（板厚方向）に弾性変形可能とされる。各係合片８４の表面後端縁には、断面形状が三角形の突状体からなる係合部８５が一体に突設されている。
【００３８】
このような押えばね１０は、傾動体８の傾動軸５２をベース４の筒体４Ｂ内に挿入してガイドピン５７を傾動方向規制部４２に挿入した後、押え部８０を傾動体８の押えばね側傾動支持部５６Ａに被冠して押し付け、係合片８４をベース本体４Ａの係合孔２４に挿入して係合部８５をベース本体４Ａの裏面側に係合させることによりベース４に対して着脱可能に取付けられ、凹部８２によって前記押えばね側傾動支持部５６Ａを傾動自在に保持する。押えばね１０の組付けに際して、各脚８１は、傾動体８の隣り合うリブ５５間に挿入される。また、係合部８５をベース本体４Ａの裏面に係合させるには、押え部８０によって押えばね側傾動支持部５６Ａを押圧し、ベース側傾動支持部５６Ｂをベース４の受部５８に押し付け、係合片８４を係合孔２４に押し込んで係合させる。押えばね１０の押え部８０を傾動体８に押し付けると、傾動体８は後方に移動するため、スイッチ押圧部６５の押圧面６６ａが開閉スイッチ６の弾性部材４８の被押圧面５０を押圧してこれを一定量圧縮変形させる。この圧縮変形量は、０．３〜１ｍｍ程度で、可動接点４９を固定接点４６に接触させることはない。弾性部材４８はスイッチ押圧部６５によって押圧されて弾性変形すると、その弾撥力がスイッチ押圧部６５に作用し、傾動体８を前方に付勢する。このため、傾動体８は、弾性部材４８と押えばね１０とによって弾持される。また、押えばね１０の係合片８４の係合部８５は、傾動体８の押えばね側傾動支持部５６Ａが押え部８０を押圧することにより、ベース本体４Ａの裏面に押し付けられる。したがって、傾動体８および押えばね１０の軸線方向のがたつきは防止される。
【００３９】
ここで、前記弾性部材４８の弾撥力によって傾動体８の押えばね側傾動支持部５６Ａが凹部８２に押し付けられると、操作ノブ５の操作時の摺動摩擦が大きくなるため、操作ノブ５の円滑な操作が阻害されることが考えられる。その場合は、傾動体８、押えばね１０のうちの少なくともいずれか一方を摩擦係数の小さい材料で形成したり、これら両部材の少なくとも一方の摺動面に弗素樹脂等の摩擦係数の小さい部材を貼着、溶着等の適宜な方法で設けたり、あるいはまた図１５に示すように押えばね側傾動支持部５６Ａの表面に十字状の溝９０を形成し、この溝９０にグリース等の潤滑剤を充填するなどしておくと、操作ノブ５の傾動が円滑で、軽快に操作することができる。
【００４０】
次に、前記プリズム１３を図３および図１６〜図１９に基づいて説明する。
図１６はプリズムの正面図、図１７は同プリズムの底面図、図１８は同プリズムの背面図、図１９は図１８のＩＸＸ−ＩＸＸ線断面図である。前記プリズム１３は、アクリル樹脂等の透明な合成樹脂によって形成された成形品からなり、前記オーナメント用光源１２からの光を前記オーナメント９の意匠部７４，７６と照明部７５に導くためのもので、中心孔９３を有する円板状の本体９１を有している。本体９１は、表面９１ａが右端から左端に向かって傾斜する斜面に形成されることにより、板厚が右端から左端に向かって漸次減少している。一方、本体９１の裏面９１ｂ側には、５つの脚部９２が周方向に略等間隔おいて放射状に突設されている。
【００４１】
また、プリズム１３は、本体９１の裏面９１ｂ外周部に形成された環状の段部９４を有し、この段部９４に前記傾動体８の受部６１（図９）が嵌合し、裏面９１ｂが前記傾動体８のリブ５５の前面に当接した状態で傾動体８の前面に取付けられる。さらに、本体９１の裏面９１ｂには、前記傾動体８の位置決めピン７１が嵌合する位置決め用凹部９５が形成されている。
【００４２】
前記脚部９２は、本体９１の裏面９１ｂの外周寄りに後方に向かって一体に突設されている。また、脚部９２の基端部には、三角形の膨出部９２Ａが一体に突設されている。この膨出部９２Ａは、前記中心孔９３の穴縁に沿って円弧状に形成され、反射面９６を有している。この反射面９６は、本体９１の裏面９１ｂと脚部９２の長さ方向中間部を結ぶ斜面からなり、前記オーナメント用光源１２からの光が脚部９２および本体９１を透過した後、前記オーナメント９の裏面で反射して戻ってくる反射光を本体９１の中心方向と周方向に反射することにより、オーナメント９の意匠部７６と表示部７５の照明を可能にしている。
【００４３】
前記プリズム１３が前記位置決めピン７１と位置決め用凹部９５との嵌合によって傾動体８の前面に位置決めされて取付けられると、各脚部９２は各リブ５５の一方の側面に接触する。前記本体９１の裏面９１ａで、かつ或る１つの脚部９２の一側がわには、突子９８が一体に突設されており、この突子９８と前記或る１つの脚部９２とで当該脚部が接触するリブ５５を両側から挟み込むようにしている。したがって、プリズム１３の傾動体８に対するがたつきは完全に防止される。
【００４４】
次に、前記オーナメントカバー１１を図２０〜図２３に基づいて説明する。
図２０はオーナメントカバーの正面図、図２１は同カバーの右側面図、図２２は同カバーの背面図、図２３は同カバーの要部の断面図である。前記オーナメントカバー１１は、不透明な合成樹脂製の成形品で、前後に開放する筒体１００と、この筒体１００の前面側開口部に設けられたリング状の前板１０１とで構成されている。筒体１００は、屈曲した筒体に形成されることにより、前半部分の筒部１００Ａがカバー自体の軸線１０２に対して前方側に傾斜している。また、筒体１００は、前半側筒部１００Ａと後半側筒部１００Ｂとの境部に一体に設けられた目隠板１０４を有し、これによってエアコンディショナの図示しない前面パネルとオーナメントカバー１１との隙間を覆うようにしている。
【００４５】
前記後半側筒部１００Ｂの後端側には、一対のスリット１０６の形成によって板厚方向に弾性変形可能な舌片１０５が周方向に略等間隔おいて３個形成されている。また、これらの舌片１０５は係合孔１０７を有し、この係合孔１０７に前記傾動体８の円筒体５３の外周に設けた係止用突起６３が係合することにより、オーナメントカバー１１が傾動体８に対して着脱可能に取付けられる。
【００４６】
前記筒体１００の内周面には、前記傾動体８の外周に設けたレンズ固定用溝６２（図９）に圧入される５つの突状体１０８が周方向に略等間隔おいて一体に突設されている。突状体１０８は、筒体１００の周方向において互いに対向し板厚方向に弾性変形可能な一対の板体（１０８ａ，１０８ｂ）で構成されており、その先端部が互いに接近するように内側に折り曲げられている。
【００４７】
前記前面板１０１の前面は、前記オーナメント９の前面カーブと略同一のカーブで凸面状に湾曲している。前面板１０１の中心孔１１０は、前方側が小径で後方側が大径の異径孔に形成され、小径孔１１０Ａに前記オーナメント９が内側から嵌合し、大径孔１１０Ｂにオーナメント９のフランジ７２が嵌合する。また、前面板１０１には、５つのインジケータ用小孔１１１が周方向に略等間隔おいて形成されている。これらのインジケータ用小孔１１１は、前記突状体１０８を構成する一対の板体１０８ａ，１０８ｂ間に位置して形成されている。また、これらのインジケータ用小孔１１１は、オーナメントカバー１１を傾動体８に嵌着すると、図１に示すように前記オーナメント９の各意匠部７４ａ〜７４ｅの外側に位置する。なお、前面板１０１の裏面側には、前記オーナメント９の位置決め用凹部７７に嵌合する位置決め用突起１１３が突設されている。
【００４８】
次に、前記操作ノブ５の照明装置７を図１および図３に基づいて説明する。
前記照明装置７は、前記オーナメント用光源１２、前記プリズム１３、前記インジケータ用光源１４および前記インジケータレンズ１５とで構成されている。また、オーナメント用光源１２とインジケータ用光源１４は、前記制御回路基板２の前面にそれぞれ５つずつ配設されている。
【００４９】
前記オーナメント用光源１２は、前記オーナメント９の意匠部７４（７４ａ〜７４ｅ），７６と照明部７５の全てを同時に照明するためのもので、５つのチップ形発光ダイオードからなり、前記プリズム１３の各脚部９２の後端面が近接して対向するように、前記制御回路基板２の前面で前記ベース４の軸線２３（図７）を中心とする同一円周上に周方向に略等間隔おいて配列されている。
【００５０】
前記インジケータ用光源１４は、前記オーナメント用光源１２の外側で、かつ前記ベース４の各インジケータ用光源収納部３２内に位置するようにそれぞれ配設されており、操作ノブ５を操作したときその操作位置に対応するもののみが点灯することにより、エアコンディショナの使用モードを切替表示するもので、その光をインジケータレンズ１５によって前記オーナメントカバー１１のインジケータ用小孔１１１に導くようにしている。なお、オーナメント用光源１２とインジケータ用光源１４の発光色としては、異なる色であることが好ましいが、同一であってもよい。
【００５１】
次に、前記インジケータレンズ１５を図２４〜図２７に基づいて説明する。
図２４はインジケータレンズの正面図、図２５は同レンズの右側面図、図２６は同レンズの背面図、図２７（ａ）〜（ｊ）は図２４のａ〜ｊ矢視図である。前記インジケータレンズ１５は、アクリル樹脂等の透明な合成樹脂によって一体に形成された成形品からなり、断面形状が円形の連結リング１３１と、この連結リング１３１の内周に周方向に略等間隔おいて突設された５本の導光ピン１３２とで構成されている。連結リング１３１は、ベース４の中心からインジケータ用光源１４までの距離と略等しい半径のリングからなり、隣り合う導光ピン１３２の中間部（図２７（ｂ）、（ｄ）、（ｆ）、（ｈ）、（ｊ））と、導光ピン１３２が設けられている部分（図２７（ｃ）、（ｇ））に屈曲部１３３がそれぞれ設けられている。このような屈曲部１３３を設けておくと、操作ノブ５の操作により当該操作位置に対応するインジケータ用光源１４が点灯したとき、その光が連結リング１３１内を通って当該操作位置以外の導光ピン１３２に導かれることがなく、誤表示を防止することができる。すなわち、連結リング１３１内に入った光は屈曲部１３３で外部に出射され、連結リング１３１の内部を反射しながら当該操作位置以外の導光ピン１３２に導光される光量は少なくなる。したがって、屈曲部１３３は、傾動操作位置以外の導光ピンに行かないようにする遮光部として機能するものである。
【００５２】
前記導光ピン１３２は、基部側が太く、前端側が細い断面円形の異径ピンからなり、前端部が前記オーナメントカバー１１の各インジケータ用小孔１１１に後方から挿入され、その前端面がオーナメントカバー１１の表面と略同一面を形成している。一方、後端側は、オーナメントカバー１１の後方に突出し、図３に示すように前記インジケータ用光源１４と近接して対向している。なお、導光ピン１３２の長さは、プリズム１３の厚みが異なりオーナメント９が左に傾いていることから異なっている。また、各導光ピン１３２の前端面は、前記オーナメントカバー１１の前面板１０１の表面と同一面を形成するように傾斜方向が異なる斜面に形成されており、この前端面が前記インジケータ用光源１４によって照明される。
【００５３】
次に、前記多方向スイッチ１の組立手順を説明する。
先ず、ベース４の各スイッチ取付面２８に開閉スイッチ６を取付ける。開閉スイッチ６の取付けは、基板４７をスイッチ取付用凹部２７に嵌合してリード線２９をリード線用穴２５（図８）に挿通してベース４の後方に突出させ、その突出端部を制御回路基板２の挿通孔に挿通して電気回路に接続することにより取付けることができる。そして、ベース４を制御回路基板２の前面に複数個の止めねじ３によって固定する。このとき、傾動方向規制部４２の案内溝４２ｃ（図５）が真下を指向するように位置決めして固定する。
【００５４】
次に、インジケータレンズ１５を傾動体８に取付けて各導光ピン１３２を傾動体８のレンズ固定用溝６２にそれぞれ挿入する。インジケータレンズ１５を取付けた後、この傾動体８の傾動軸５２をベース４の筒体４Ｂ内に位置決めピン７１（図９）を下にして挿入し、ガイドピン５７（図３）を前記傾動方向規制部４２の中心に差し込む。さらに、押えばね１０を傾動体８の前面中央に装着して凹部８２を押えばね側傾動支持部５６Ａに押し付け、係合片８４をベース４の係合孔２４に押し込み、係合片８４の係合部８５（図１４）をベース本体４Ａの裏面に係合させる。これによって、傾動体８はベース４に対して傾動自在に組み付けられる。このとき、傾動体８の各スイッチ押圧部６５は対応する開閉スイッチ６の弾性部材４８（図８）を押圧し、若干弾性変形させる。したがって、傾動体８は、弾性部材４８の弾撥力によって前方に付勢され、押えばね１０との間に弾持される。また、この弾撥力によって、前記係合片８４の係合部８５はベース本体４Ａに裏面に押し付けられる。したがって、傾動体８と押えばね１０は、軸線方向の移動を完全に規制される。
【００５５】
次に、押えばね１０が装着された傾動体８の前面にプリズム１３を装着し、その脚部９２をベース４のプリズム用穴２６に挿入する。このとき、プリズム１３の位置決め用凹部９５（図１８）を下にして傾動体８に装着し、前記凹部９５と傾動体８の位置決めピン７１（図９）を嵌合させる。
【００５６】
次に、オーナメントカバー１１にオーナメント９を挿入して中心孔１１０の小径孔部１１０Ａ（図２３）に嵌合し、フランジ７２を大径部１１０Ｂに嵌合する。このとき、オーナメント９の位置決め用凹部７７（図１２）とオーナメントカバー１１の内面に突設されている位置決め用突起１１３（図２２）を嵌合させる。
【００５７】
次に、オーナメント９が組み込まれたオーナメントカバー１１を傾動体８の外周に嵌合して突状体１０８を傾動体８のレンズ固定用溝６２に圧入し、インジケータレンズ１５の各導光ピン１３２をオーナメントカバー１１のインジケータ用小孔１１１に差し込む。そして、傾動体８の係止用突起６３と係合孔１０７の係合によってオーナメント９をプリズム１３の前面に密着させると、オーナメントカバー１１は傾動体８に対して着脱可能に取付けられ、もって多方向スイッチ１の組立作業が終了する。
【００５８】
次に、多方向スイッチ１の動作について説明する。
多方向スイッチ１の操作ノブ５は、通常５つ全ての開閉スイッチ６の弾性部材４８の弾撥力によって傾動体８が押えばね１０に押し付け、前記弾性部材４８と押えばね１０によって弾持されることにより、いずれの傾動方向にも傾かない中立位置に保持されている。この状態において、ガイドピン５７は、傾動方向規制部４２の中心に位置している。図３はこの状態を示す。
【００５９】
オーナメント９またはオーナメントカバー１１の表面で例えば意匠部７４ｃ（図１）またはその近傍部を指で押圧すると、操作ノブ５は傾動中心Ｃを中心として上端側が後方に、下端側が前方に移動するように傾動する。したがって、ガイドピン５７は、傾動方向規制部４２の中心から案内溝４２ｃ（図４、図５）内を移動する。
【００６０】
また、傾動体８が傾動することにより、前記表示部４２ｃに対応するスイッチ押圧部６５が当該表示部４２ｃに対応する開閉スイッチ６の弾性部材４８を押圧して弾性変形させ、可動接点４９を２つの固定接点４６に押し付ける。図４はこの状態を示す。この結果、開閉スイッチ６はＯＮとなり、その信号に基づいて制御回路基板２に搭載されている図示しないＩＣが駆動信号を送出することによりファンを駆動し、送風モードを「弱」に切り替える。また、ＩＣからの信号によって前記意匠部７４ｃに対応するインジケータ用光源１４を点灯する。これにより、前記意匠部７４ｃの上方に位置するインジケータ用小孔１１１内に挿入されているインジケータレンズ１５の導光ピン１３２の前面を明るく照明し、送風モードが「弱」であることを照明表示する。
【００６１】
操作ノブ５に対する押圧状態を解除すると、操作ノブ５は押圧ばね１０と、前記表示部７４ｃに対応する開閉スイッチ６の弾性部材４８の弾撥力とによって傾動し元の中立位置に復帰する。なお、送風モードを「弱」から例えば「強」に切り替えるときは、オーナメント９またはオーナメントカバー１１の表面で意匠部７４ｅまたはその近傍部を指で押圧して操作ノブ５を図１の矢印Ａ5 方向に傾動させればよい。このとき、ガイドピン５７は、傾動方向規制部４２の案内溝４２ｅに移動し、前記意匠部７４ｅに対応するスイッチ押圧部６５が当該意匠部７４ｅに対応する開閉スイッチ６をＯＮにし、送風モードが「弱」から「強」に切り替えられる。
【００６２】
なお、上記した実施の形態においては、エアコンディショナのスイッチに用いた例を示したが、本発明はこれに何等特定されるものではなく、例えば自動車のリモートコントロールドアミラーのスイッチにも適用することが可能である。
また、上記した実施の形態においては、５方向スイッチに適用したが、操作位置を増減することにより３方向、４方向あるいは５方向以上のスイッチにも適用することが可能である。
【００６３】
【発明の効果】
以上説明したように本発明に係る多方向スイッチは、ベースの各開閉スイッチが取付けられるスイッチ取付面を、操作ノブのスイッチ押圧部のストローク方向と略直交する斜面に形成したので、操作ノブの操作時に弾性部材全体を均等に弾性変形させることができ、安定したスイッチ動作が得られる。
また、本発明は、開閉スイッチをベース上に同一仮想円上に位置するようにその周方向に略等間隔おいて配設し、傾動方向規制機構を、互いに一端が連通して前記ベースに放射状に設けられ各スイッチ方向に延在する少なくとも３つの案内溝からなる傾動方向規制部と、前記操作ノブに突設され前記傾動方向規制部に摺動自在に挿入されたガイドピンとで構成したので、操作ノブを操作したときガイドピンがノブの傾動方向とは反対側の案内溝に係入して他の傾動位置に対応する案内溝に係入することがなく、開閉スイッチの誤動作を防止することができる。また、本発明は、開閉スイッチを接点を付勢する弾性部材を有するスイッチで構成し、前記弾性部材のストローク方向を対応するスイッチ押圧部のストローク方向と略一致させるとともに、通常前記操作ノブを中立位置に保持するために前記押えばねと前記弾性部材とで操作ノブを弾持するように構成したので、操作ノブの軸線方向のがたつきを確実に防止することでき、安定したスイッチ動作を得ることができる。
【００６４】
また、本発明は、押えばねの押え部を半球状の凹部とし、この凹部によって操作ノブの傾動支持部を傾動自在に保持したので、操作ノブの傾動動作が円滑で安定したスイッチ操作を行うことができる。
また、操作ノブを押えばねによってベースに組み付けることにより、スイッチ押圧部によって開閉スイッチの弾性部材を一定量弾性変形させ、その弾撥力によって前記操作ノブの傾動支持部を前記押えばねの凹部に圧接するとともに、前記弾性係合片を前記ベースに圧接するようにしたので、押えばねのがたつきを防止することができ、操作ノブを安定に保持することができる。
【００６５】
さらに、本発明は操作ノブのガイドピンが突設されている部分を補強部材によって補強したので、操作ノブの傾動操作に伴ってガイドピンが傾動方向規制部の溝壁に当たって曲げモーメントを受けても、操作ノブのガイドピンが取付けられている部分が破損したりすることがない。
さらにまた、操作ノブの傾動支持部と押えばねの摺動面間に摩擦係数の小さい部材または潤滑剤を介在させると、操作ノブをより軽快に操作することが可能である。
【図面の簡単な説明】
【図１】  本発明に係る多方向スイッチの一実施の形態を示す正面図である。
【図２】  同スイッチの右側面図である。
【図３】  図１のIII −III 線断面図である。
【図４】  操作ノブを操作して開閉スイッチを動作させたときの状態を示す断面図である。
【図５】  ベースの正面図である。
【図６】  同ベースの背面図である。
【図７】  図５のVII −VII 線断面図である。
【図８】  開閉スイッチの拡大断面図である。
【図９】  傾動体の正面図である。
【図１０】  同傾動体の背面図である。
【図１１】  図９のＣ矢視図である。
【図１２】  図９のＸＩＩ−ＸＩＩ線断面図である。
【図１３】  オーナメントの正面図である。
【図１４】  （ａ）、（ｂ）、（ｃ）は押えばねの正面図、Ｄ矢視図、ＸＩＶ−ＸＩＶ線断面図である。
【図１５】  傾動体の他の実施の形態を示す要部の斜視図である。
【図１６】  プリズムの正面図である。
【図１７】  同プリズムの底面図である。
【図１８】  同プリズムの背面図である。
【図１９】  図１８のＩＸＸ−ＩＸＸ線断面図である。
【図２０】  オーナメントカバーの正面図である。
【図２１】  同カバーの右側面図である。
【図２２】  同カバーの背面図である。
【図２３】  同カバーの要部の断面図である。
【図２４】  インジケータレンズの正面図である。
【図２５】  同レンズの右側面図である。
【図２６】  同レンズの背面図である。
【図２７】  （ａ）〜（ｊ）は図２４のａ〜ｊ矢視図である。
【符号の説明】
１…多方向スイッチ、２…制御回路基板、４…ベース、５…操作ノブ、６…開閉スイッチ、７…照明装置、８…傾動体、９…オーナメント、１０…押えばね、１１…オーナメントカバー、１２…オーナメント用光源、１３…プリズム、１４…インジケータ用光源、１５…インジケータレンズ、２８…スイッチ取付面、４２…傾動方向規制部、４２ａ〜４２ｅ…案内溝、４６…固定接点、４８…弾性部材、４９…可動接点、４７…ガイドピン、５６Ａ…押えばね側傾動支持部、５６Ｂ…ベース側傾動支持部、５８…受部、６０…傾動方向規制機構、６５…スイッチ押圧部、７０…補強部材、８０…押え部、８２…凹部、８４…係合片。
【図１】
0004027034.tif 000002
【図２】
0004027034.tif 000003
【図３】
0004027034.tif 000004
【図４】
0004027034.tif 000005
【図５】
0004027034.tif 000006
【図６】
0004027034.tif 000007
【図７】
0004027034.tif 000008
【図８】
0004027034.tif 000009
【図９】
0004027034.tif 000010
【図１０】
0004027034.tif 000011
【図１１】
0004027034.tif 000012
【図１２】
0004027034.tif 000013
【図１３】
0004027034.tif 000014
【図１４】
0004027034.tif 000015
【図１５】
0004027034.tif 000016
【図１６】
0004027034.tif 000017
【図１７】
0004027034.tif 000018
【図１８】
0004027034.tif 000019
【図１９】
0004027034.tif 000020
【図２０】
0004027034.tif 000021
【図２１】
0004027034.tif 000022
【図２２】
0004027034.tif 000023
【図２３】
0004027034.tif 000024
【図２４】
0004027034.tif 000025
【図２５】
0004027034.tif 000026
【図２６】
0004027034.tif 000027
【図２７】
0004027034.tif 000028